(57)【要約】【課題】ダム堤体などの壁体についての水中作業を、視界を確保できる清水領域で行わせるのに適した、清水領域形成装置及び清水領域形成方法を提供する。【解決手段】清水領域形成装置１００の筐体部２００は、壁体１０に沿って清水を放水するケース２１０（放水部）と、ケース２１０の開放面に固定され、壁体１０と連接してケース２１０から放水される清水の流れを囲む囲み部２２０とを備える。そして、水中ポンプ４００によって揚水された濁水を台船３０上の濾過装置３００で濾過し、濾過装置３００で生成された清水をケース２１０に送水してケース２１０上面の開放面から放水することで、囲み部２２０内に清水領域を形成する。【選択図】図１
2018105031.tif 000002
【特許請求の範囲】
【請求項１】
水中の壁体の前面に清水領域を形成する清水領域形成装置であって、
前記壁体に沿って清水を放水する放水部と、前記壁体と連接して前記放水部から放水される清水の流れを囲む壁部材とを備え、
前記放水部は、開放面に整流部材を設けたケースを含んで構成され、
前記壁部材は前記ケースの開放面に固定され、
外部から前記ケース内に注入された清水を、前記整流部材を介して前記壁部材で囲まれる領域に放水する、清水領域形成装置。
【請求項２】
水中ポンプと、前記水中ポンプによって揚水された濁水を濾過する濾過装置と、前記濾過装置で濾過された清水を前記ケースに送水するホースと、を更に含む、請求項１記載の清水領域形成装置。
【請求項３】
前記濾過装置は前記ケースよりも高い位置に配される、請求項２記載の清水領域形成装置。
【請求項４】
前記濾過装置は水上に配される、請求項３記載の清水領域形成装置。
【請求項５】
前記濾過装置が並列して複数系統設けられ、前記水中ポンプによって揚水された濁水を前記複数系統の前記濾過装置のうちの一部に選択的に通水させる切り替え手段を設けた、請求項２から請求項４のいずれか１つに記載の清水領域形成装置。
【請求項６】
前記濾過装置は、サイクロンセパレータと、前記サイクロンセパレータで異物が除去された水が通水されるフィルタユニットとを含んで構成される、請求項２から請求項５のいずれか１つに記載の清水領域形成装置。
【請求項７】
清水の流れをコアンダ効果によって前記壁体と前記壁部材とで囲まれた領域に寄せる、請求項１から請求項６のいずれか１つに記載の清水領域形成装置。
【請求項８】
水中の壁体の前面に清水領域を形成する清水領域形成方法であって、
壁部材の端縁を前記壁体に寄せて配して前記壁体及び前記壁部材で囲みを形成し、
水中ポンプで揚水した濁水を水上に設けた濾過装置に通水して清水を生成し、
前記濾過装置で生成した清水を前記壁体に沿うように前記囲み内に放水し、
前記囲み内に清水領域を形成する、清水領域形成方法。
【請求項９】
前記濾過装置は冷却手段によって冷却される、請求項８記載の清水領域形成方法。
【発明の詳細な説明】
【技術分野】
【０００１】
本発明は、清水領域形成装置及び清水領域形成方法に関し、詳しくは、水中の壁体についての水中作業のために前記壁体の前面に清水領域を形成する装置及び方法に関する。
【背景技術】
【０００２】
特許文献１には、撮影手段と検査面との間に配置され、内部に透明な流体が充填可能な可撓性の透明シートを有し、前記透明シートに設けたシート開口部から検査面側に透明な流体を噴射し、検査面の検査を行う、液中の壁面の検査装置及び検査方法が開示されている。
【先行技術文献】
【特許文献】
【０００３】
【特許文献１】特許第３０７９３９１号公報
【発明の概要】
【発明が解決しようとする課題】
【０００４】
近年、ダム堤体の補修・改修などを潜水士が行うことで、既存ダムの有効利用が図られる場合がある。
ダム堤体についての水中作業では、ダム湖水が濁水であると、視界不良によって作業効率が低下し、作業工程の遅延や作業コストの増大など招くことになる。
そこで、本願発明は、ダム堤体などの壁体についての水中作業を、視界を確保できる清水領域で行わせるのに適した、清水領域形成装置及び清水領域形成方法を提供することを目的とする。
【課題を解決するための手段】
【０００５】
そのため、本願発明に係る清水領域形成装置は、その一態様として、水中の壁体の前面に清水領域を形成する清水領域形成装置であって、前記壁体に沿って清水を放水する放水部と、前記壁体と連接して前記放水部から放水される清水の流れを囲む壁部材とを備え、前記放水部は、開放面に整流部材を設けたケースを含んで構成され、前記壁部材は前記ケースの開放面に固定され、外部から前記ケース内に注入された清水を、前記整流部材を介して前記壁部材で囲まれる領域に放水する。
【０００６】
また、本願発明に係る清水領域形成方法は、その一態様として、水中の壁体の前面に清水領域を形成する清水領域形成方法であって、壁部材の端縁を前記壁体に寄せて配して前記壁体及び前記壁部材で囲みを形成し、水中ポンプで揚水した濁水を水上に設けた濾過装置に通水して清水を生成し、前記濾過装置で生成した清水を前記壁体に沿うように前記囲み内に放水し、前記囲み内に清水領域を形成する。
【発明の効果】
【０００７】
上記発明によると、水中の壁体の前面に透明度が高い清水領域が形成されるので、潜水士の視界を確保でき、また、水中の壁体に潜水士が直接アクセスできるので、壁体についての水中作業の効率を改善できる。
【図面の簡単な説明】
【０００８】
【図１】本発明の実施形態における清水領域形成装置の使用状態を示す側面図である。
【図２】本発明の実施形態における筐体部を示す３面図であり、（Ａ）は正面図、（Ｂ）は側面図（（Ａ）のＡ−Ａ断面図）、（Ｃ）は上面図である。
【図３】本発明の実施形態における濾過装置の構成図である。
【図４】本発明の実施形態における筐体部における清水領域の形成状態を示す状態図であり、（Ａ）は上面図、（Ｂ）は正面図である。
【図５】本発明の実施形態における清水領域形成装置でのコアンダ効果を説明するための図であり、（Ａ）は壁部材を備えない場合の濁度分布を示し、（Ｂ）は壁部材を備える場合の濁度分布を示す図である。
【図６】本発明の実施形態における枠部材を備える筐体部を示す図であり、（Ａ）は上面図、（Ｂ）は背面図である。
【図７】本発明の実施形態における枠部材のシール機能を説明するための断面図である。
【図８】本発明の実施形態における袋体と内容物（流動物）とで構成される枠部材を示す斜視図である。
【図９】本発明の実施形態における大型の筐体部を含む清水領域形成装置の使用状態を示す断面図である。
【図１０】本発明の実施形態における大型の筐体部を示す図であり、（Ａ）は背面図、（Ｂ）は側面図（（Ａ）のＡ−Ａ断面図）、（Ｃ）は上面図である。
【図１１】本発明の実施形態における大型の筐体部のケース（放水部）を示す拡大断面図である。
【図１２】本発明の実施形態における枠部材及び重量枠を備える大型の筐体部を示す図であり、（Ａ）は背面図、（Ｂ）は側面図、（Ｃ）は上面図である。
【図１３】本発明の実施形態における重量枠の作用を説明するための断面図である。
【図１４】本発明の実施形態における濾過装置の冷却手段を含む清水領域形成装置の使用状態を示す断面図である。
【図１５】本発明の実施形態における濾過装置の冷却手段を含む清水領域形成装置の使用状態を示す断面図である。
【図１６】本発明の実施形態における囲い部の壁体側にシート状部材を備えた筐体部を示す図であり、（Ａ）は上面図、（Ｂ）は側面図である。
【図１７】本発明の実施形態におけるシート状部材を備えた筐体部を壁体の前面に設置した状態を示す上面図である。
【発明を実施するための形態】
【０００９】
以下に本発明の実施の形態を説明する。
図１は、本発明に係る清水領域形成装置の一態様を示す全体構成図である。
清水領域形成装置１００は、例えば、ダム堤体や堤防などの水中の壁体１０の前面に透明度が高い清水領域を形成することで、潜水士２０による水中作業の視界を確保するのに用いられる装置である。
【００１０】
清水領域形成装置１００は、水中の壁体１０の前面に配される筐体部２００と、壁体１０で堰き止められる水（ダム湖水など）に浮かぶ台船３０に載せられるなどして水上に配される濾過装置３００と、筐体部２００の外側の濁水（ダム湖水）中に配される水中ポンプ４００と、水中ポンプ４００から濾過装置３００に濁水を送る第１ホース５００ａと、濾過装置３００での濾過処理で生成された清水を筐体部２００に送る第２ホース５００ｂと、を含んで構成される。
【００１１】
図２は、筐体部２００の構成を詳細に示す図である。
筐体部２００は、壁体１０に沿って清水を放水する放水部を構成するケース２１０と、ケース２１０の上面に固定される囲い部２２０とで構成され、ケース２１０及び囲い部２２０は、例えばポリプロピレンやアクリルなどの樹脂材料や、塩分による錆の発生などが少ないステンレスなどの材料で形成される。
【００１２】
ケース２１０は、中空の箱状に形成され、上面２１１に清水の放水口となる矩形の開口部２１２が形成されて上面２１１が開放面をなす一方、底面２１３の外側には、第２ホース５００ｂを接続するためのホースフランジ２１４が固定されている。なお、上面２１１の形状は矩形に限定されない。
ホースフランジ２１４に一端が接続される第２ホース５００ｂは、濾過装置３００で生成された清水をケース２１０内にホースフランジ２１４を介して供給し、ケース２１０の底面２１３側からケース２１０内に注入された清水は、ケース２１０の上面２１１側の開口部２１２を介してケース２１０の外部に向けて放水される。
なお、第１ホース５００ａ及び第２ホース５００ｂとして、例えば耐圧性を有する所謂サクションホースを用いることができるが、第１ホース５００ａ及び第２ホース５００ｂは、サクションホースに限定されない。
【００１３】
ケース２１０の上面２１１に形成された開口部２１２には、ケース２１０の外部に向けて放水される清水の流れを整流するための整流部材である整流板２１５が取り付けられる。
整流板２１５は、例えば複数の孔が全面に穿設された板状部材であり、更に、係る板状部材を上下方向に間隔を空けて複数重ねて設けることもできる。また、開口部２１２に設ける整流部材として、ルーバーなどを用いることもできる。
【００１４】
また、ケース２１０内には、ホースフランジ２１４の中空部２１４ａの開放端を囲むように、有底筒状の整流キャップ２１６を設けてある。
整流キャップ２１６は、内側の第１整流キャップ２１６ａと、第１整流キャップ２１６ａを覆う外側の第２整流キャップ２１６ｂとの２重構造であり、第１整流キャップ２１６ａ及び第２整流キャップ２１６ｂは、底部（天井壁）には孔が穿設されずに閉塞端をなし、周壁に複数の孔が全面に形成されている。
【００１５】
ホースフランジ２１４の中空部２１４ａを上方に向けて流れる清水は、整流キャップ２１６の周壁に設けた孔を通過することで周囲に向けて流れが偏向され、整流板２１５の中央付近に偏って清水が流れることを抑制する。
なお、整流キャップ２１６ａ，２１６ｂの底部（天井壁）に、周壁に比べて開口率が小さくなるように複数の孔を設けることができ、また、整流キャップ２１６は、２重構造に限定されない。
【００１６】
囲い部２２０は、ケース２１０の上面２１１を底面とし、開口部（放水口）２１２の上方領域を挟んで左右方向に対向して配置される一対の壁部材（側壁）２２１ａ，２２１ｂを備えて構成される。
一対の壁部材２２１ａ，２２１ｂは、ケース２１０の両側面を上方に延長するようにして設けられ、囲い部２２０は前面２２０ａ、背面２２０ｂ（壁体１０側の面）及び上面２２０ｃが開放面をなす。そして、ケース２１０の整流板２１５を通過した清水は、壁部材２２１ａ，２２１ｂで挟まれる領域に向けて放水される。
【００１７】
壁部材２２１ａ，２２１ｂそれぞれの外側の面には、潜水士が筐体部２００を手で支えるための取手部２２２ａ，２２２ｂを設けてあり、潜水士が取手部２２２ａ，２２２ｂを持って、筐体部２００を水中で移動させたり、筐体部２００を作業位置に固定したりすることができるようにしてある。
なお、ケース２１０及び囲い部２２０からなる筐体部２００の大きさは、例えば、全高が０．５ｍ〜１．５ｍ程度で、幅及び奥行が０．５ｍ〜１．５ｍ程度に設定される。
【００１８】
台船３０に載せられる濾過装置３００は、例えば、図３に示すように構成される。
図３において、サイクロンセパレータ３１０は、遠心力を利用して固液分離を実施する装置である。
サイクロンセパレータ３１０の供給口３１１には、水中ポンプ４００で揚水された濁水（ダム湖水）が第１ホース５００ａを介して供給され、透明度を低下させる要因となる異物（微粒子）が遠心力によって除去された水は、クリーン液出口（オーバーフロー管）３１２から排出され、異物を含むダーティ液はダーティ液出口（アンダーフロー管）３１３から排出される。
【００１９】
サイクロンセパレータ３１０のクリーン液出口３１２に接続される配管３２０は、下流側で２つに分岐し、一方の配管３２０ａは、第１フィルタユニット３３０ａの入口に接続され、他方の配管３２０ｂは、第２フィルタユニット３３０ｂの入口に接続される。
第１フィルタユニット３３０ａ及び第２フィルタユニット３３０ｂは、圧力容器内にフィルタカートリッジを着脱可能（交換可能）に収容したものであり、フィルタカートリッジは、例えば、ポリプロピレンやポリエステルなどの樹脂材料で形成されるフェルト濾材で構成される。
【００２０】
フィルタユニット３３０ａ，３３０ｂの上流側の配管３２０ａ，３２０ｂには、それぞれバルブ３４０ａ，３４０ｂを設けてあり、バルブ３４０ａ，３４０ｂの開度を個別に設定することで、フィルタユニット３３０ａ，３３０ｂに流入する水の流量が個別に調整される。
各フィルタユニット３３０ａ，３３０ｂの出口には、配管３５０ａ，３５０ｂの一端がそれぞれ接続され、配管３５０ａ，３５０ｂの他端は下流側で１つの配管３５０に接続され、配管３５０の端部には第２ホース５００ｂの一端が接続される。
【００２１】
サイクロンセパレータ３１０、フィルタユニット３３０ａ，３３０ｂ、及び、バルブ３４０ａ，３４０ｂで構成される濾過装置３００においては、バルブ３４０ａ，３４０ｂのうちの一方を閉じ他方を開くことで、サイクロンセパレータ３１０で異物が除去された水を、フィルタユニット３３０ａ，３３０ｂのいずれか一方に通水させて、サイクロンセパレータ３１０で除去できなかった異物を更に除去する。
図３に示した濾過装置３００は、フィルタユニットを並列して２系統備えるが、フィルタユニットを３系統以上並列して設けることができる。
【００２２】
水中ポンプ４００は、濾過装置３００が搭載される台船３０から吊り下げられて水中に配され、揚水した濁水（ダム湖水）を吐出口に接続されたホース５００ａを介して濾過装置３００に供給する。
以上のように、清水領域形成装置１００は、筐体部２００と、濾過装置３００と、水中ポンプ４００と、これらを接続するホース５００ａ，５００ｂとを含んで構成される。
【００２３】
そして、潜水士２０が水中の壁体１０について補修・改修などの水中作業を行うときに、作業領域周辺の水（ダム湖水）が濁水であるために透明度が低く十分な視界を確保できない場合は、清水領域形成装置１００を用いて壁体１０の作業領域の前面に、良好な視界を確保できる透明度の高い清水領域を形成する。
詳細には、図１、図４に示すように、壁体１０の作業領域に囲い部２２０の開放面である背面２２０ｂが重なるように、壁部材２２１ａ，２２１ｂの背面側の端縁を水中の壁体１０に付けた状態に筐体部２００を支持する。
これにより、左右の壁部材２２１ａ，２２１ｂと壁体１０とが連接し、ケース２１０の上面２１１の開口部２１２から放水される清水の流れが、左右の壁部材２２１ａ，２２１ｂ及び壁体１０によって３方から囲まれることになる。
【００２４】
囲い部２２０の背面２２０ｂが壁体１０に付くように筐体部２００を水中に配する場合、壁体１０に設けたアンカーに筐体部２００を係合させて固定したり、筐体部２００にブイ（浮き）を取り付けて作業領域の水深に浮かせたり、また、図１に示すように壁体１０の地上部などに設置したクレーン６００によって筐体部２００を壁体１０前面の水中に吊り下げたり、台船３０に載せたクレーンで筐体部２００を壁体１０前面の水中に吊り下げたりすることができる。
また、潜水士２０が取手部２２２ａ，２２２ｂを持って筐体部２００を壁体４０の所定位置に押し付けた状態で、水中作業を行うことも可能である。
【００２５】
一方、濾過装置３００は、台船３０などに載せることで水上に配され、水上の濾過装置３００から水中の筐体部２００に向けて清水をホース５００ｂで供給する。なお、濾過装置３００を壁体１０の地上部に設置することもできる。
また、水中ポンプ４００は、ホース５００ａで吊り下げるようにして水中に配することができる他、筐体部２００に水中ポンプ４００の固定部を設け、筐体部２００に水中ポンプ４００を固定することもできる。
【００２６】
なお、壁部材２２１ａ，２２１ｂと壁体１０とで囲まれる領域内の濁水の温度と、ケース２１０の上面２１１の開口部２１２から放水される清水の温度との差（換言すれば、比重の差）が小さい方が、清水領域を安定して形成できる。
そこで、水中ポンプ４００を筐体部２００と同程度の水中深度に配して、水中ポンプ４００で取水される濁水の温度と、壁部材２２１ａ，２２１ｂと壁体１０とで囲まれる領域内の濁水の温度とを同程度にする。
なお、台船３０上に水温を調節する水温調節装置を設け、水中ポンプ４００で揚水された濁水の温度又は濾過装置３００を通過した後の清水の温度を前記水温調節装置によって調節し、壁部材２２１ａ，２２１ｂと壁体１０とで囲まれる領域内の濁水の温度と同程度に保つよう構成することができる。
【００２７】
上記のように、筐体部２００を水中の壁体１０の作業領域に設置し、濾過装置３００を地上（台船３０上）に配し、水中ポンプ４００を筐体部２００と同程度の水中深度に配した状態で、水中ポンプ４００を稼働させると、水中ポンプ１７は周囲の濁水を吸い込み、水中ポンプ１７の吐出口から吐出された濁水は第１ホース５００ａを介して濾過装置３００に圧送される。
そして、濾過装置３００は、水中ポンプ４００から送られた濁水をサイクロンセパレータ３１０及びフィルタユニット３３０ａ、３３０ｂで濾過して透明度が高い清水を生成する。
【００２８】
濾過装置３００への通水で得られた清水は、第２ホース５００ｂを介してケース２１０内に供給され、ケース２１０内に供給された清水は、ケース２１０の上面２１１の開口部２１２に固定された整流板２１５で整流されて、左右の壁部材２２１ａ，２２１ｂ及び壁体１０によって３方が囲まれる囲み領域２５０に放水され、ケース２１０から放水された清水は壁体１０に沿って囲み領域２５０内を下方から上方に向けて流れる。
【００２９】
なお、水中ポンプ４００を配する水中深度は、筐体部２００と同程度の水中深度に限定されず、例えば、水中ポンプ４００の吸込口を囲み領域２５０の上方開放端付近に配置し、囲み領域２５０内を下方から上方に向けて流れた清水が濁水に混じってしまう前に、換言すれば、ダム湖水の透明度よりも高いうちに、再度水中ポンプ４００に吸い込まれて循環するように構成することができる。
係る構成では、水中ポンプ４００が吸い込む水の透明度が高くなって濾過装置３００に捕集される異物（不純物粒子）の量が減り、濾過装置３００の濾過能力をより長い期間に亘って維持させることが可能となり、濾過装置３００を構成するフィルタユニット３３０ａ，３３０ｂのフィルタカートリッジの交換頻度が減って経済的に清水領域形成装置１００を使用できる。
【００３０】
左右の壁部材２２１ａ，２２１ｂと壁体１０とによって３方が囲まれる囲み領域２５０の底面を放水口として下方から上方に向けて清水が放水されることで、囲み領域２５０（囲い部２２０内）に清水領域、換言すれば、透明度が高い水域が形成される。
つまり、壁体１０の作業領域に筐体部２００を付けるように設置することで、筐体部２００の壁部材２２１ａ，２２１ｂ（囲い部２２０）が壁体１０と連接し、ケース２１０（放水部）から放水される清水の流れを囲む囲みを形成し、係る囲み内に清水を放水することで、囲み内に清水領域が形成される。
【００３１】
ここで、ケース２１０（放水部）からは、壁体１０に沿って清水が放水されるが、放水された清水は、コアンダ効果により壁部材２２１ａ，２２１ｂと壁体１０とで囲まれた囲み領域２５０に寄せられる。
これにより、清水領域は壁体１０の直前に形成され、清水領域と壁体１０との間に濁水域が生じることが抑制される。
【００３２】
潜水士２０は、壁体１０の作業領域の前に形成された清水領域によって、壁体１０の作業領域を観察するための視界を確保でき、更に、壁体１０に直接触れて補修・改修作業などを行うことが可能である。
従って、例えば壁体１０がダムの堤体である場合は、ダム湖水が濁っていても高い作業効率で堤体の補修・改修作業などを行え、作業工程の遅延や作業コストの増大を抑制できる。
【００３３】
また、濾過装置３００は水上（台船３０上）に配されるから、フィルタユニット３３０ａ，３３０ｂのフィルタカートリッジを交換する作業などのメンテナンス作業を地上で容易に行え、また、比較的サイズの大きなフィルタカートリッジを用いることが可能となり、フィルタユニット３３０ａ，３３０ｂで濾過できる時間が長くなり、フィルタカートリッジの交換頻度を抑えることができる。
濾過装置３００を水中に配した場合は、フィルタカートリッジなどの部品交換が潜水作業となり、部品交換に時間を要する。
【００３４】
また、例えばケース２１０内に濾過装置を内蔵させる場合には、フィルタカートリッジの大きさが制限され、ケース２１０を大型化してサイズの大きなフィルタカートリッジを収容させると、筐体部２００が大型化し、潜水士２０による筐体部２００の取り扱いが困難になる。
これに対し、濾過装置３００は水上（台船３０上）に配されるから、フィルタカートリッジの交換が潜水作業にはならず、比較的短い時間で交換を行え、また、フィルタカートリッジのサイズを筐体部２００の大きさとは無関係に設定できるから、十分に長い濾過時間を確保できる大きなサイズのフィルタカートリッジの採用が可能であり、更に、筐体部２００を、壁体１０の補修・改修に必要な最小限の大きさに設定できる。
【００３５】
また、濾過装置３００は、２系統のフィルタユニット３３０ａ，３３０ｂを備えるとともに、２系統のうちの１つに選択的に通水させる切り替え手段としてのバルブ３４０ａ，３４０ｂを備える。
このため、例えばバルブ３４０ａを開きバルブ３４０ｂを閉じてフィルタユニット３３０ａにのみ通水させている状態でフィルタユニット３３０ａのフィルタカートリッジの交換が必要になった場合、バルブ３４０ａを閉じバルブ３４０ｂを開くことで、フィルタユニット３３０ａに通水される状態から新品のフィルタカートリッジが装着されたフィルタユニット３３０ｂに通水させる状態に切り替えることができる。つまり、フィルタカートリッジの交換が必要になっても清水を連続して筐体部２００に供給でき、フィルタカートリッジの交換に伴って清水領域が無くなってしまうことがない。
【００３６】
そして、フィルタユニット３３０ｂのフィルタカートリッジの交換が必要となるまでの期間内で、通水が停止されているフィルタユニット３３０ａのフィルタカートリッジを交換しておけば、フィルタユニット３３０ｂのフィルタカートリッジの交換が必要になったときに、フィルタユニット３３０ａに通水される状態に切り替えることができる。
また、濾過装置３００では、フィルタユニット３３０ａ，３３０ｂに通水させる前に、サイクロンセパレータ３１０による異物の除去が行われるから、フィルタユニット３３０ａ，３３０ｂの濾過能力を維持できる時間が長くなる。
また、サイクロンセパレータ３１０は、目詰まりの発生がなくメンテナンスフリーであるため、フィルタユニット３３０ａ，３３０ｂに共通のプレ処理フィルタとして用いることができ、濾過装置３００での連続濾過及びフィルタカートリッジの交換頻度の抑制を実現しつつ濾過装置３００の構成を簡略化できる。
【００３７】
なお、図１−図４に示した例では、壁体１０の作業域近傍の濁水を濾過装置３００で濾過してケース２１０に注水し、左右の壁部材２２１ａ，２２１ｂと壁体１０とによって３方が囲まれる囲み領域２５０に清水領域を形成するが、例えば、壁体１０の作業域から離れた清水域の清水や清水タンクに予め貯留されている清水をポンプでケース２１０に送水し、囲み領域２５０に清水領域を形成させることも可能である。
つまり、清水領域を形成するための清水をリアルタイムで濾過装置３００によって生成する構成に限定されない。
【００３８】
但し、濾過装置３００を備えれば、ダム堤体付近のダム湖水が濁水であっても、ダム堤体近傍に水中ポンプ４００を設置できると共に長い配管や清水タンクが不要で清水領域形成装置１００を低廉かつ簡易に構成でき、更に、適当な清水域が付近に無い場合や、清水タンクの設置が困難な環境でも、清水領域を形成させることができるという汎用性を有する。
また、筐体部２００において、囲い部２２０とケース２１０とを分離可能に構成することができる。
【００３９】
また、一対の壁部材２２１ａ，２２１ｂ（囲い部２２０）を備えずにケース２１０（放水部）のみで筐体部２００を構成し、清水領域を形成させたい壁体１０の前の領域を壁部材で囲まずに、ケース２１０から壁体１０に沿って清水を放水させることによっても、清水領域を形成することは可能である。
しかし、図１−図４に示した清水領域形成装置１００のように、壁部材２２１ａ，２２１ｂと壁体１０とによって清水の放水領域（清水の流れ）を囲んでコアンダ効果を利用できるようにすれば、壁体１０の直前のより広い範囲に清水領域を安定的に形成することができる。
【００４０】
図５は、清水の放水領域を壁部材２２１ａ，２２１ｂで左右から囲むことなく壁体１０の前面に清水を放出させた場合（図５（Ａ））、及び、左右の壁部材２２１ａ，２２１ｂと壁体１０とによって３方が囲まれる囲み領域に清水を放出させた場合（図５（Ｂ））について、それぞれ清水領域の形成範囲（濁度比分布）をシミュレーションした結果を示す。
なお、図５は、正方形状に形成される放水口（ケース２１０の開口部２１２）の１辺の長さを１ｍとし、図５（Ｂ）では放水口を挟んで壁部材２２１ａ，２２１ｂが対向するように配置し、更に、清水の放水流量を８００リットル／分、濁水及び清水の温度を共に１８℃、濁水の濁度を１００mg／リットルとしたときに、放水開始から１０分が経過した時点での放水口から０．５ｍの高さにおける濁度比の分布を示す。
【００４１】
図５（Ａ）に示す放水領域を左右の壁部材で囲まない場合では、壁体１０の直前における清水領域の左右方向の幅が放水口の幅よりも狭く、清水領域が壁体１０表面に直交する方向に細長い形状になっている。
これに対し、図５（Ｂ）に示す放水領域を左右の壁部材２２１ａ，２２１ｂで囲んだ場合では、壁体１０の直前における清水領域の左右方向の幅が放水口の幅（壁部材２２１ａ，２２１ｂの間隔）と略同等であり、図５（Ａ）の場合とは逆に、清水領域が壁体１０の左右方向に細長い形状になっていて、左右の壁部材２２１ａ，２２１ｂで挟まれる領域の略全域で視界を確保できることになる。
【００４２】
上記の図５（Ａ）、（Ｂ）における清水領域の大きさ、形状の違いは、コアンダ効果によるものである。
つまり、図５（Ｂ）のように、左右の壁部材２２１ａ，２２１ｂ及び壁体１０によって３方が囲まれる囲み領域内に清水を放水する場合、清水の流れが左右の壁部材２２１ａ，２２１ｂ及び壁体１０に引き寄せられるコアンダ効果により、清水領域が左右方向に広がりかつ壁体１０側に寄って形成される。
【００４３】
一方、図５（Ａ）のように、清水の放水領域を左右方向から囲む壁部材を設けない場合は、コアンダ効果によって清水の流れが引き寄せられる壁が左右方向に存在しないため、形成される清水領域の左右方向の幅が左右の壁部材で囲んだ場合よりも狭くなり、潜水士の視界を確保できる領域の左右方向の幅も狭くなる。
換言すれば、筐体部２００が、壁体１０と連接する左右の壁部材２２１ａ，２２１ｂを備え、清水の流れがコアンダ効果により左右の壁部材２２１ａ，２２１ｂ及び壁体１０に引き寄せられるように清水を壁体１０に沿って放水させることで、清水領域の形成能力を高めることができる。
【００４４】
ところで、筐体部２００の背面を水中の壁体１０に付けたときに、筐体部２００と壁体１０との間に大きな隙間があると、係る隙間を介して囲み領域２５０内に濁水が浸入したり、隙間を介して囲み領域２５０内の清水が外部に漏れ出すことで、清水領域の透明度の低下や透明度のばらつきを生じさせたり、清水領域を縮小させたりする可能性がある。
ここで、壁体１０の表面が平らであれば筐体部２００と壁体１０との間の隙間は十分に小さくなり、外部から囲み領域２５０内への濁水の浸入や囲み領域２５０内から外部への清水の漏れ出しは少なくなって、清水領域形成装置１００は安定的に清水領域を形成できる。
【００４５】
これに対し、壁体１０の表面に凹凸（不陸）があると、係る凹凸の部分で筐体部２００との間に大きな隙間が生じ、この隙間を介して外部から囲み領域２５０内に濁水が浸入したり清水が囲み領域２５０内から外部に漏れ出したりして、清水領域形成装置１００による清水領域の形成能力を低下させる。
そこで、筐体部２００の背面と壁体１０との隙間を埋める手段（シール手段）を備え、壁体１０の凹凸による清水領域の形成能力の低下を抑制できるようにした、筐体部２００の第２の実施形態を、図６に従って説明する。
【００４６】
図６に示す筐体部２００は、図２に示した筐体部２００に対し、弾性を有する枠部材（シール部材、シール手段）２６０を囲い部２２０と壁体１０との接触面に設け、囲い部２２０が枠部材２６０を介して壁体１０に付けられる構成とした点が異なる。
枠部材２６０は、左右の壁部材２２１ａ，２２１ｂの壁体１０側（背面側）の端縁に沿って上下方向に延びる縦部２６０ａ，２６０ｂと、ケース２１０の壁体１０側の面（背面）の上端（換言すれば、壁部材２２１ａ，２２１ｂで挟まれる囲み領域２５０の底側）に左右方向に沿って延びる横部２６０ｃとが一体となってＵ字状に形成される。
【００４７】
枠部材２６０は、壁部材２２１ａ，２２１ｂ及びケース２１０よりも背面側（壁体１０側）に突出し、筐体部２００の背面を水中の壁体１０に押し付けるようにすると、壁部材２２１ａ，２２１ｂ及びケース２１０は壁体１０に直接当たらずに、枠部材２６０が壁体１０に突き当たる。
そして、図７に示すように、壁体１０の凹凸に応じて枠部材２６０が弾性変形して、壁部材２２１ａ，２２１ｂ及びケース２１０と壁体１０との隙間を埋め、壁体１０と筐体部２００との隙間から囲み領域２５０内に濁水が浸入することや、囲み領域２５０内の清水が壁体１０と筐体部２００との隙間から外部に漏れ出すことが抑制される。
【００４８】
これにより、筐体部２００を設置する壁体１０の表面（壁体１０の作業領域）に凹凸があっても、清水領域形成装置１００による清水領域の形成能力を高く維持できる。
枠部材２６０は、ゴムなどの弾性材料で形成することができる。
また、枠部材２６０として、ポリ塩化ビニルなどの樹脂材料やゴムなどで形成される可撓性を有する袋体に、流動体（水などの液体やジェル体）を入れたものを使用できる。
【００４９】
図８は、袋体と内容物（流動体）とで構成される枠部材２６０の一例を示す。
図８において、ポリ塩化ビニルなどの樹脂材料やゴムなどで形成され可撓性を有する袋体２６１は、壁部材２２１ａ，２２１ｂの長さ及び間隔に合わせたＵ字状に形成され、この袋体２６１内に液体（水）やジェル体などの流動体２６２を入れて密閉される。
【００５０】
ここで、図８に示すように、Ｕ字状をなす袋体２６１の内部容積部のうちの両上端部に、流動体２６２で充たされない空洞部２６３が形成され、筐体部２００を壁体１０に押し付けたときに、壁体１０の凹凸に応じて袋体２６１が変形すると共に袋体２６１内での流動体２６２の液面が上下し得るように構成されている。
但し、袋体２６１と流動体２６２とで構成される枠部材２６０として、袋体２６１の内部が全て流動体２６２で満たされた枠部材２６０を用い、袋体２６１が弾性変形して袋体２６１の容積が変化することで凹凸を吸収する構成とすることができる。また、空気などの気体を入れた袋体２６１を枠部材２６０として用いることができるが、空気の浮力による筐体部２００の浮きを抑制する対策が必要になる。
【００５１】
ところで、上記実施形態における清水領域形成装置１００の筐体部２００は、囲み領域２５０の開放面である前面２２０ａから潜水士２０が壁体１０にアクセスできるように構成された小型の装置であるが、囲み領域内に潜水士２０が入って水中作業を行える大型の筐体部を含んで清水領域形成装置１００を構成することができる。
図９は、筐体部７００の囲み領域７５０の大きさを潜水士２０が中に入って水中作業を行える大きさとした第３の実施形態における清水領域形成装置１００における作業状態を例示する。
また、図１０は、図９に示した大型の筐体部７００の構造を示す三面図である。
【００５２】
図９及び図１０に示す筐体部７００は、図１，図２に示した小型の筐体部２００と同様に、放水部を構成するケース７１０と、ケース７１０から清水が放水される囲い部７２０とを備えて構成される。
なお、囲い部７２０内の囲み領域７５０の大きさは、例えば、高さ１０ｍ程度、奥行き５ｍ程度とすることができる。
【００５３】
囲い部７２０は、直方体状の囲み領域７５０を形成する筐体構造をなし、両側面は壁体１０の左右方向に対向する一対の壁部材７７１ａ，７７１ｂで形成され、正面は壁体１０に対向する仕切り壁７７１ｃで仕切られ、底面は床部材７７１ｄで構成され、囲み領域７５０の上面７５０ａ及び壁体１０側となる背面７５０ｂが開放面になっている。
床部材７７１ｄには、整流板７８２が取り付けられる開口部（放水口）７８１が開口され、図１１に示すように、開口部７８１の下側には整流板７８２と共に放水部を構成するケース７１０が取り付けられる。
【００５４】
ケース７１０は、開口部７８１を囲む中空の箱状に形成され、図２に示したケース２１０と同様に、底面７１３の外側には、第２ホース５００ｂを接続するためのホースフランジ７１４が固定されている。
更に、ケース７１０内には、ホースフランジ７１４の中空部７１４ａの開放端を囲むように、有底筒状の整流キャップ７１６を設けてある。
【００５５】
整流キャップ７１６は、内側の第１整流キャップ７１６ａと、第１整流キャップ７１６ａを覆う外側の第２整流キャップ７１６ｂとの２重構造であり、第１整流キャップ７１６ａ及び第２整流キャップ７１６ｂは、底部（天井壁）には孔が穿設されずに閉塞端をなし、周壁に複数の孔が全面に形成されている。
そして、ホースフランジ７１４に一端が接続される第２ホース５００ｂは、濾過装置３００で生成された清水をケース７１０内に供給し、ケース７１０の底面７１３側からケース７１０内に注入された清水は、整流キャップ７１６によって周辺に向けて偏向され、更に整流板７８２によって整流され、囲み領域７５０内に放水される。
【００５６】
図１０に示す例では、床部材７７１ｄの左右方向の略中央で壁体１０（背面７７５ｂ）寄りの位置に開口部（放水口）７８１を設けてあり、壁部材７７１ａ，７７１ｂが壁体１０と連接するように筐体部７００を壁体１０に付けたときに、開口部（放水口）７８１から壁体１０に沿って清水が放水されるよう構成してある。
なお、床部材７７１ｄの左右方向に間隔を空けて複数の放水部（開口部７８１、ケース７１０）を配することができる。
【００５７】
図９及び図１０に示した筐体部７００の囲い部７２０は、開放面である背面側が壁体１０に付けられることで周囲の４面及び底面が閉塞され上面だけが開放面となる清水溜りを形成するから、ケース７１０及び開口部７８１を介して囲い部７２０内に放水される清水によって囲い部７２０内の濁水を清水に置き換え、囲い部７２０内に清水を溜めることができる。
例えば、囲い部７２０内の濁水よりも温度の低い（比重の重い）清水を囲い部７２０内に放水させることで、囲い部７２０内の濁水を上面から追い出して清水を溜めることができる。
【００５８】
ここで、水中ポンプ４００を囲い部７２０よりも水中深度のより深い位置に配し、水中ポンプ４００が囲い部７２０内の濁水よりも温度の低い濁水を濾過装置３００に向けて揚水するようにすれば、囲い部７２０内の濁水よりも温度の低い（比重の重い）清水を囲い部７２０内に放水させることができる。
大型の筐体部７００を、ダム堤体などの水中の壁体１０の前に設置するには、クレーンで筐体部７００を壁体１０の前の水中に吊り下げる方法や、クレーンで筐体部７００を水中にまで降ろし、壁体１０に設けたアンカーに固定する方法などを用いることができる。
【００５９】
そして、図９に示したように、壁体１０の作業領域を囲むように筐体部７００を壁体１０に付け、囲い部７２０内に清水領域を形成させてから、潜水士２０が上部開放面から囲い部７２０内に入って壁体１０の補修・改修作業などを行うようにする。
大型の筐体部７００の場合も、囲い部７２０内に清水領域が形成されることで、囲い部７２０内で作業する潜水士２０の視界が確保され、潜水士２０による壁体１０の補修・改修作業を効率良くかつ安全に行わせることができる。
【００６０】
また、潜水士２０が内部に入って作業を行うような大型の囲い部７２０を有する筐体部７００においても、ダム堤体などの壁体１０に筐体部７００を付けたときの囲い部７２０と壁体１０との隙間を埋めるために、弾性を有する枠部材を備えるようにし、この枠部材を介して筐体部７００が壁体１０に接触する構成とすることができる。
【００６１】
図１２は、枠部材７９０を備えた大型の筐体部７００の一例を示す。
図１２において、枠部材７９０は、壁部材７７１ａ，７７１ｂそれぞれの背面７７５ｂ側（壁体１０側）の端縁に沿って上下方向に延びる縦部７９０ａ，７９０ｂと、床部材７７１ｄの背面７７５ｂ側（壁体１０側）の端縁に沿って左右方向に延びる横部７９０ｃとが一体となってＵ字状に形成される。
【００６２】
そして、枠部材７９０は、壁部材７７１ａ，７７１ｂ及び床部材７７１ｄよりも背面７７５ｂ側に突出し、筐体部７００の背面を水中の壁体１０に押し付けるようにすると、枠部材７９０が壁体１０に突き当たり、壁体１０の凹凸に応じて枠部材７９０が弾性変形して、壁部材７７１ａ，７７１ｂ及び床部材７７１ｄと壁体１０との隙間を埋める。
従って、筐体部７００を付ける壁体１０に凹凸があっても、壁部材７７１ａ，７７１ｂ及び床部材７７１ｄと壁体１０との接触面における隙間を十分に小さくでき、隙間を介して濁水が内部に入ったり逆に隙間を介して清水が外部に漏れ出すことを抑制でき、壁体１０の凹凸によって清水領域の形成性能が低下することを抑制できる。
【００６３】
なお、枠部材７９０は、図５に示した小型の筐体部２００に設けられる枠部材２６０と同様に、ゴムなどの弾性材料で形成することができ、また、ポリ塩化ビニルなどの樹脂材料やゴムなどで形成される可撓性を有する袋体に水などの液体やジェル体を入れて形成することができる（図８参照）。
【００６４】
また、潜水士２０が内部に入って水中作業を行う大型の筐体部７００で構成される清水領域形成装置１００では、地上のクレーン６００によって筐体部７００を水中の壁体１０前に吊り下げるようにした場合に（図９参照）、筐体部７００を壁体１０に押し付ける力が不十分となって、枠部材７９０を壁体１０の凹凸に沿って十分に弾性変形させることができず、筐体部７００と壁体１０との間に隙間が残ってしまう可能性がある。
このような押し付け力不足の対策として、壁体１０が勾配をもつ場合には、図１２に示すように、壁部材７７１ａ，７７１ｂ及び床部材７７１ｄと枠部材７９０との間に、押し付け力を発生する重量枠７９１を挟む構成とすることができる。
【００６５】
重量枠７９１は、枠部材７９０（袋体の内容物）よりも比重が大きい金属などの材料で、枠部材７９０の形に沿うＵ字型に形成される。
つまり、重量枠７９１は、枠部材７９０の上下方向に延びる縦部７９０ａ，７９０ｂに沿って設けられる縦部７９１ａ，７９１ｂと、枠部材７９０の左右方向に延びる横部７９０ｃに沿って設けられる横部７９１ｃとが一体となってＵ字状に形成される。
【００６６】
重量枠７９１を枠部材７９０と筐体部７００との間に挟んだ場合、図１３に示すように、壁体１０が勾配θをもつと、重量枠７９１の重力質量の分力として筐体部７００を壁体１０に押し付ける力（壁体１０の表面に直交する方向の力）が発生し、重量枠７９１を備えない場合に比べて筐体部７００を壁体１０に押し付ける力が増し、枠部材７９０を壁体１０の凹凸に沿って十分に弾性変形させることができるようになる。
【００６７】
これにより、壁体１０の凹凸部分で筐体部７００と壁体１０との間に隙間が生じることを抑制でき、隙間を介した濁水又は清水の漏洩を小さくして、清水領域の形成性能を改善できる。
なお、図６に示した、枠部材２６０を備える小型の筐体部２００においても、枠部材２６０と筐体部２００との間に重量枠を挟むことができ、重量枠を設けることで、大型の筐体部７００の場合と同様の作用効果を奏することができる。
【００６８】
また、筐体部２００，７００に対して重量枠を着脱可能とし、筐体部２００，７００をクレーンで壁体１０の前面に吊り下げる場合に重量枠を筐体部２００，７００に取り付け、筐体部２００，７００をアンカーで壁体１０に固定する場合や小型の筐体部２００を潜水士２０が支持する場合などにおいては、予め重量枠を取り外した上で壁体１０の前面に設置させることができる。
【００６９】
また、清水領域形成装置１００において、枠部材２６０、７９０を、図８に例示したような袋体と袋体に充填される水とで構成する場合、水中作業が終了して筐体部２００，７００を水上に揚重するときに、袋体から水を抜いて空気に置換することで袋体が浮力を発生するようにして、揚重の負荷を軽減することができる。
また、袋体から水を抜いた状態で陸上での移送を行わせ、筐体部２００，７００を水中に降ろすときに袋体に水を入れるようにすれば、筐体部２００，７００の陸上での移送作業の負荷を軽減できる。
【００７０】
また、清水を貯留するタンクを台船３０上や壁体１０の地上部分などに設け、当該タンク内の清水をケース２１０，７１０（放水部）にポンプで供給し、ケース２１０，７１０から囲い部２２０，７２０内に放水する構成とすることができる。
また、図９，図１０に示した大型の囲い部７２０を用いる清水領域形成装置１００において、ケース７１０及び開口部７８１を備えずに筐体部７００を囲い部７２０だけで構成し、囲い部７２０を壁体１０の前面に付けた状態で、囲い部７２０の開放面である上面から囲み領域７５０内に清水を放水させるためのホースを差し入れて付近の濁水よりも低温でかつ透明度の高い清水を囲み領域７５０内に放水したり、開放面である上面から溜り部内に凝集剤を投入して不純物粒子を凝集沈殿させたりして、囲み領域７５０内に清水を溜め、囲み領域７５０内に清水領域を形成することができる。
【００７１】
また、図１又は図９に示した清水領域形成装置１００では、筐体部２００，７００（ケース２１０，７１０）付近の水中深度から水中ポンプ４００によって揚水された濁水を水上の濾過装置３００で濾過させるが、水中ポンプ４００によって揚水された濁水が水上の濾過装置３００を経由するときに温度上昇して、囲い部２２０，７２０内の濁水と囲い部２２０，７２０内に放水される清水との間における温度差が拡大し、清水領域の安定形成に悪影響を及ぼす可能性がある。
【００７２】
そこで、濾過装置３００の冷却手段を設け、濾過装置３００での水温上昇を抑制するよう構成することができる。
例えば、図１４に示すように、台船３０の上に冷却用プール３０ａを設置し、この冷却用プール３０ａに貯留される水の中に濾過装置３００の少なくとも一部を沈めて、濾過装置３００の温度上昇を抑制することができる。
【００７３】
なお、サイクロンセパレータ３１０とフィルタユニット３３０ａ，３３０ｂとで構成される濾過装置３００において、フィルタユニット３３０ａ，３３０ｂの圧力容器の少なくとも一部や、サイクロンセパレータ３１０の少なくとも一部が冷却用プール３０ａの水の中に没するよう構成することができる他、サイクロンセパレータ３１０及びフィルタユニット３３０ａ，３３０ｂを一体的に内蔵する容器の少なくとも一部が冷却用プール３０ａの水の中に没するよう構成することもできる。
【００７４】
また、例えば水中ポンプ４００で揚水された濁水の一部を冷却用プール３０ａ内に放水させることで、冷却用プール３０ａ内の水の入れ替えがなされ、冷却用プール３０ａ内の水温上昇が抑制される構成とすることができる。
また、図１５に示すように、ダム湖水などの壁体１０で堰き止められる水の水面近くに濾過装置３００の少なくとも一部が没するように濾過装置３００を支持する橋型クレーンなどの支持装置３０ｂを、台船３０に設けることができる。
【００７５】
なお、図１５に示した、濾過装置３００の少なくとも一部をダム湖水などの壁体１０で堰き止められる水に没するように構成する場合も、濾過装置３００を構成する複数のユニット単位で水中に没するように支持することができ、また、複数ユニットを一体的に内蔵する容器をその少なくとも一部が水中に没するように支持することもできる。
なお、図１４及び図１５は、小型の筐体部２００を用いる清水領域形成装置１００を例示するが、大型の筐体部７００を用いる清水領域形成装置１００においても、図１４，図１５に示した台船３０を適用することができる。
【００７６】
図１４及び図１５に示す清水領域形成装置１００では、夏季などの台船３０上の気温が高くなるときでも、ケース２１０，７１０に送水される清水の温度が高くなることを抑制でき、清水領域を安定的に形成することができる。
また、濾過装置３００が配される水中深度が浅いから、フィルタユニット３３０ａ，３３０ｂのフィルタカードリッジの交換作業を水上（台船３０上）で実施することが可能で、交換作業に要する時間を短く抑制できる。
【００７７】
なお、図１４又は図１５に示す清水領域形成装置１００において、フィルタユニット３３０ａ，３３０ｂのフィルタカードリッジの交換作業をより簡易とするために、フィルタユニット３３０ａ，３３０ｂの圧力容器に設けられるフィルタカートリッジの着脱口が水上に露出し圧力容器の他の部分が水中に没するようにしたり、濾過装置３００（フィルタユニット３３０ａ，３３０ｂ）を冷却用プール３０ａなどから一時的に水上に持ち上げるリフト機構を台船３０に備えたり、冷却用プール３０ａの水位をフィルタカートリッジの交換に適した水位まで低下させる水抜き孔を設けたりすることができる。
【００７８】
また、図１５に示した、濾過装置３００を支持する橋型クレーンなどの支持装置３０ｂを台船３０に設ける場合は、橋型クレーンによって濾過装置３００を支持する高さ（水面との相対位置）を冷却要求に応じて任意に調整でき、また、フィルタカートリッジを交換するときに、交換作業が容易な高さにまで濾過装置３００をリフトさせることができる。
【００７９】
また、壁体１０表面の凹凸（不陸）によって囲い部２２０と壁体１０との間に隙間が生じることを抑制するための手段としては、図１６に示すように、壁部材２２１ａ，２２１ｂの壁体１０側の端部を、可撓性を有したシート状部材２２６ａ，２２６ｂで構成することができる。
図１６に示す例では、壁部材２２１ａ，２２１ｂの壁体１０側の端縁２２１ｅが、ケース２１０の背面２１０ｃよりも所定長さだけ正面側に後退するように形成され、壁部材２２１ａ，２２１ｂの外側面の壁体１０寄りの位置には、シート状部材２２６ａ，２２６ｂを固定するためのプレート状の固定部２２５ａ，２２５ｂを、壁部材２２１ａ，２２１ｂの高さ方向に沿って設けてある。
【００８０】
そして、固定部２２５ａ，２２５ｂには、壁部材２２１ａ，２２１ｂの高さと略同等の高さに形成されたシート状部材２２６ａ，２２６ｂの一端が固定される。
シート状部材２２６ａ，２２６ｂは、例えば塩化ビニル樹脂やゴムなどでシート状に形成されて可撓性を有する部材（シールリップ部材）である。
【００８１】
シート状部材２２６ａ，２２６ｂは、その端面が壁部材２２１ａ，２２１ｂと略平行になるように固定部２２５ａ，２２５ｂから壁体１０側に向けて延設された後、筐体部２００から離れる方向にそれぞれ延設方向を変え、シート状部材２２６ａとシート状部材２２６ｂとの間隔は壁体１０側の端部で最も広くなり、かつ、荷重を加わっていない状態で、シート状部材２２６ａ，２２６ｂの先端部は、ケース２１０の背面２１０ｃよりも壁体１０側に突出するように成形されている。
つまり、シート状部材２２６ａ，２２６ｂは、壁部材２２１ａ，２２１ｂが壁体１０から後退する部分を埋めるように延設され、更に、ケース２１０の背面２１０ｃが壁体１０に当接するように筐体部２００を設置したときに、壁体１０に押されて弾性変形するよう構成される。
【００８２】
上記のシート状部材２２６ａ，２２６ｂを設けた筐体部２００を、壁体１０の前面に設置すると、図１７に示すように、シート状部材２２６ａ，２２６ｂは、壁体１０に押されて弾性変形しつつ、シート状部材２２６ａ，２２６ｂの先端部が壁体１０に密着する状態を保持する。
これにより、壁体１０の表面に凹凸（不陸）があっても、シート状部材２２６ａ，２２６ｂの弾性変形によって囲い部２２０と壁体１０との間に隙間が生じることを抑制でき、囲い部２２０と壁体１０との間の隙間を介した囲い部２２０内への濁水の流入や囲い部２２０内からの清水の流出を抑止でき、囲い部２２０内に安定して清水領域を形成することができる。
【００８３】
なお、上記シート状部材２２６ａ，２２６ｂのようなシート状部材（シールリップ部材）を多重に設けることができ、また、可撓性を有する部材は、シート状部材（リップ状部材）に限定されない。
例えば、蛇腹状部材の一端を、壁体１０に対する離接方向に伸縮するように壁部材２２１ａ，２２１ｂに固定し、筐体部２００を壁体１０の前面に設置したときに蛇腹状部材の他端が壁体１０に当接し、蛇腹状部材が縮むよう構成することができる。
上記の蛇腹状部材を、シート状部材２２６ａ，２２６ｂに代えて壁部材２２１ａ，２２１ｂに設けることができ、また、シート状部材２２６ａ，２２６ｂと蛇腹状部材とを組み合わせて設けることができる。
【００８４】
以上、好ましい実施形態を参照して本発明の内容を具体的に説明したが、本発明の基本的技術思想及び教示に基づいて、当業者であれば種々の変形態様を採り得ることは自明である。
上記実施形態において、清水領域形成装置１００の筐体部２００は、壁体１０に連接する壁部材として、壁体１０の左右方向に対向する一対の壁部材２２１ａ，２２１ｂを備えるが、左右の壁部材のいずれか一方のみを備えるようにし、清水の流れがコアンダ効果によって壁部材と壁体とが交差する角部に寄せられるように構成することができる。
【００８５】
また、図１−図２に示した筐体部２００を含む清水領域形成装置１００は、図２（Ａ）の上下方向を天地方向として使用する形態に限定されず、例えば、清水の流れ方向が略水平方向になるように筐体部２００を横向きに設置して、清水領域を形成させることができる。
また、壁体１０の左右方向に対向する一対の壁部材２２１ａ，２２１ｂと、この一対の壁部材２２１ａ，２２１ｂで挟まれる囲み領域内に放水するケース２１０（放水部）とを備える筐体部２００を、壁体１０の左右方向に複数並べて清水領域形成装置１００を構成することができる。
【００８６】
また、壁体１０の左右方向に対向する一対の壁部材２２１ａ，２２１ｂは、相互に平行配置される構成に限定されず、例えば、ケース２１０から離れるほど、換言すれば、ケース２１０から放水される清水の流れ方向の下流側ほど、壁部材２２１ａ，２２１ｂ相互の間隔が広がるように設けることができる。
【００８７】
また、ケース２１０，７１０内に、整流キャップ２１６に代えてフィルタを設け、当該フィルタによって、清水の流れを分散させ、また、濾過装置３００で濾過できなかった異物を除去させる構成とすることができる。
係る構成の場合、ケース２１０，７１０の上流側で濾過装置３００による濾過が行われるから、ケース２１０，７１０に設けるフィルタのみで濾過を行わせる場合に比べて、ケース２１０，７１０内のフィルタの交換頻度を大幅に減らすことができる。
【００８８】
また、ケース２１０，７１０内への清水の注水口は底側に限定されず、例えば、ケース２１０，７１０の側壁から清水をケース２１０，７１０内へ注水する構成とすることができ、また、開口部（放水口）が設けられるケース２１０，７１０の上面から清水をケース２１０，７１０内に注水させ、清水がケース２１０，７１０内でＵターンして上面の開口部から放水される構成とすることができる。
【符号の説明】
【００８９】
１０…壁体、２０…潜水士、３０…台船、１００…清水領域形成装置、２００…筐体部、２１０…ケース（放水部）、２１２…開口部（放水口）、２１５…整流板（整流部材）、２２０…囲い部、２２１ａ，２２１ｂ…壁部材、３００…濾過装置、３１０…サイクロンセパレータ、３３０ａ…第１フィルタユニット、３３０ｂ…第２フィルタユニット、３４０ａ，３４０ｂ…バルブ（切り替え手段）、４００…水中ポンプ、５００ａ…第１ホース、５００ｂ…第２ホース、７００…筐体部、７１０…ケース、７２０…囲い部、７７１ａ，７７１ｂ…壁部材、７７１ｃ…仕切り壁、７７１ｄ…床部材
【図１】
2018105031.tif 000003
【図２】
2018105031.tif 000004
【図３】
2018105031.tif 000005
【図４】
2018105031.tif 000006
【図５】
2018105031.tif 000007
【図６】
2018105031.tif 000008
【図７】
2018105031.tif 000009
【図８】
2018105031.tif 000010
【図９】
2018105031.tif 000011
【図１０】
2018105031.tif 000012
【図１１】
2018105031.tif 000013
【図１２】
2018105031.tif 000014
【図１３】
2018105031.tif 000015
【図１４】
2018105031.tif 000016
【図１５】
2018105031.tif 000017
【図１６】
2018105031.tif 000018
【図１７】
2018105031.tif 000019